(57)【要約】　　　（修正有）【課題】常時ほぼ水平状態に保持し、目地部が狭くなると回動して、その揺れ動きを吸収し、揺れ動きが停止すると自動的に元の状態に戻すことができる目地部間に設置される目地カバー本体を提供する。【解決手段】左右の建物の目地部側の左右の天井躯体に固定された一対のレール５に傾斜状態で配置された両端部がスライド移動可能に取付けられた２個以上の支持バー７と、この支持バー７のほぼ中央部に上端部がそれぞれ取付けられた吊り下げ杆８と、この吊り下げ杆８の下端部にほぼ中央部が回動可能に取付けられた両端部が逆方向の傾斜面の目地部を覆う目地カバー本体１２と、この目地カバー本体１２の両端部の傾斜面と面接触し左右の天井躯体に固定された左右のガイド部材１５、１６と、目地カバー本体１２を常時ほぼ水平状態に保持する水平保持機構１７とで天井用目地カバー１を構成している。【選択図】　図３
2004124613.tif 000002
【特許請求の範囲】
【請求項１】
目地部を介して設置された左右の建物の目地部側の左右の天井躯体の上部寄りの部位に、前後方向にほぼ水平状態で固定された一対のレールと、この一対のレールに傾斜状態で配置された両端部がスライド移動可能に取付けられた少なくとも２個以上の支持バーと、この少なくとも２個以上の支持バーのほぼ中央部に上端部がそれぞれ取付けられた吊り下げ杆と、この吊り下げ杆の下端部にほぼ中央部が回動可能に取付けられた両端部が逆方向の傾斜面に形成された前記目地部を覆う目地カバー本体と、この目地カバー本体の両端部の傾斜面と面接触する傾斜面が形成された、該目地カバー本体がほぼ水平状態で当接する前記左右の天井躯体に固定された左右のガイド部材と、前記目地カバー本体を常時ほぼ水平状態に保持し、前記目地部が狭くなり前記左右のガイド部材で押し圧されての回動を阻止することのない水平保持機構とからなることを特徴とする天井用目地カバー。
【請求項２】
目地部を介して設置された左右の建物の目地部側の左右の天井躯体の上部寄りの部位に両端部が枢支された四角枠形状のリンク機構本体、このリンク機構本体の一方の対向するバー部材のほぼ中央部に両端部が枢支された支持バーとからなる少なくとも２個以上のリンク機構と、この少なくとも２個以上のリンク機構の支持バーのほぼ中央部に上端部がそれぞれ取付けられた吊り下げ杆と、この吊り下げ杆の下端部にほぼ中央部が回動可能に取付けられた両端部が逆方向の傾斜面に形成された前記目地部を覆う目地カバー本体と、この目地カバー本体の両端部の傾斜面と面接触する傾斜面が形成された、該目地カバー本体がほぼ水平状態で当接する前記左右の天井躯体に固定された左右のガイド部材と、前記目地カバー本体を常時ほぼ水平状態に保持し、前記目地部が狭くなり前記左右のガイド部材で押し圧されての回動を阻止することのない水平保持機構とからなることを特徴とする天井用目地カバー。
【請求項３】
水平保持機構は目地カバー本体の一方の端部寄りの部位に設置された、該一方の端部を下方へ回動させることができる重りと、この重りが設置された目地カバー本体の一方の端部が該目地カバー本体の水平状態よりも下方へ回動するのを阻止するストッパーとで構成されていることを特徴とする請求項１、２記載の天井用目地カバー。
【請求項４】
水平保持機構は目地カバー本体の他方の端部側を上方へ回動させることができるように取付けられたスプリングと、このスプリングが取付けられた目地カバー本体の他方の端部が、該目地カバー本体の水平状態よりも上方へ回動するのを阻止するストッパーとで構成されていることを特徴とする請求項１、２記載の天井用目地カバー。
【請求項５】
目地部を介して設置された左右の建物の目地部側の左右の天井躯体の一方の天井躯体に一方の先端部が回動可能に取付けられた少なくとも２個以上のヒンジ部材と、これらのヒンジ部材の他方の先端部にそれぞれ回動可能に取付けられた下方へ突出する吊り下げ杆と、この吊り下げ杆の下端部にほぼ中央部が回動可能に取付けられた両端部が逆方向の傾斜面に形成された前記目地部を覆う目地カバー本体と、この目地カバー本体の両端部の傾斜面と面接触する傾斜面が形成された、該目地カバー本体がほぼ水平状態で当接する、前記左右の天井躯体に固定された左右のガイド部材と、前記目地カバー本体を常時ほぼ水平状態に保持し、前記目地部が狭くなり前記左右のガイド部材で押し圧されての回動を阻止することのない水平保持機構と、前記ヒンジ部材の他方の先端部を常時目地部の中央部に位置するように付勢する付勢機構とからなることを特徴とする天井用目地カバー。
【発明の詳細な説明】
【０００１】
【発明の属する技術分野】
本発明は目地部を介して設置された左右の建物の天井部分の目地部を覆う天井用目地カバーに関する。
【０００２】
【従来の技術】
従来のこの種の目地カバーは、目地カバー本体の両端部を左右の建物の天井躯体にスライド移動させたり、一端部を室内側に回動させるようにして、地震時の目地部の寸法が変化する揺れ動きを吸収できる構造になっている。
【０００３】
【発明が解決しようとする課題】
従来の目地カバーは目地カバー本体の両端部が目地部側の天井躯体をスライド移動するため、そのスライド移動量を確保しなければならず、大型となり、天井化粧材に取付けるのに苦労するとともに、室内に目地カバー本体の両端部が突出して見苦しくなるという欠点があった。
また、目地カバー本体の一端部を室内側に回動させる構造の目地カバーは、室内に突出するため、危険であるという欠点があった。
【０００４】
本発明は以上のような従来の欠点に鑑み、目地部間に設置される目地カバー本体を常時ほぼ水平状態に保持し、目地部が狭くなると回動してその揺れ動きを吸収し、揺れ動きが停止すると自動的に元の状態に戻すことができるとともに、安全に使用することができる天井用目地カバーを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設置された左右の建物の目地部側の左右の天井躯体の上部寄りの部位に、前後方向にほぼ水平状態で固定された一対のレールと、この一対のレールに傾斜状態で配置された両端部がスライド移動可能に取付けられた少なくとも２個以上の支持バーと、この少なくとも２個以上の支持バーのほぼ中央部に上端部がそれぞれ取付けられた吊り下げ杆と、この吊り下げ杆の下端部にほぼ中央部が回動可能に取付けられた両端部が逆方向の傾斜面に形成された前記目地部を覆う目地カバー本体と、この目地カバー本体の両端部の傾斜面と面接触する傾斜面が形成された、該目地カバー本体がほぼ水平状態で当接する前記左右の天井躯体に固定された左右のガイド部材と、前記目地カバー本体を常時ほぼ水平状態に保持し、前記目地部が狭くなり前記左右のガイド部材で押し圧されての回動を阻止することのない水平保持機構とで天井用目地カバーを構成している。
【０００７】
【発明の実施の形態】
以下、図面に示す実施の形態により、本発明を詳細に説明する。
【０００８】
図１ないし図６に示す本発明の第１の実施の形態において、１は目地部２を介して設置された左右の建物３、３の左右の天井躯体３ａ、３ａ間の目地部２を覆う、該目地部２間に設置された本発明の天井用目地カバーで、この天井用目地カバー１は前記左右の天井躯体３ａ、３ａの上部寄りの部位に前後方向にほぼ水平状態で複数本のビス４等で固定された一対のレール５、５と、この一対のレール５、５にほぼ４５度の傾斜状態で配置されたローラ６、６が取付けられた両端部がスライド移動可能に取付けられた少なくとも２個以上の支持バー７、７と、この少なくとも２個以上の支持バー７、７のほぼ中央部に上端部がそれぞれ取付けられた吊り下げ杆８、８と、この吊り下げ杆８、８の下端部に取付け金具９、９を介してほぼ中央部が回動可能に取付けられた両端部が逆方向の傾斜面１０、１１に形成された、前記目地部２を覆う目地カバー本体１２と、この目地カバー本体１２の両端部の傾斜面１０、１１と面接触する傾斜面１３、１４が形成された該目地カバー本体１２がほぼ水平状態で当接する前記左右の天井躯体３ａ、３ａに固定された左右のガイド部材１５、１６と、前記目地カバー本体１２を常時ほぼ水平状態に保持し、前記目地部２が地震等の揺れ動きで狭くなり、前記左右のガイド部材１５、１６で押し圧されての回動を阻止することのない水平保持機構１７とで構成されている。
【０００９】
前記取付け金具９は図４に示すように、板状で両端部寄りの部位にビス１８等によって、前記目地カバー本体１２の裏面に取付けることができるビス挿入孔１９、１９が形成されたベース板２０と、このベース板２０の中央部に前記吊り下げ杆８の下端部が挿入できるように、該ベース板２０の上面に上方へ突出するように形成された一対の支持片２１、２１と、この一対の支持片２１、２１に形成された前記吊り下げ杆８の下端部を回動可能に枢支する枢支ピン２２が挿入される枢支ピン挿入孔２３、２３とで構成されている。
【００１０】
前記水平保持機構１７は前記目地カバー本体１２が下方へ回動する一端部寄りの部位に一端部が取付けられ、前記吊り下げ杆８の上部寄りの部位に他端部が取付けられた、該目地カバー本体１２の一端部を上方へ回動するように付勢するコイルスプリング２４と、一端部が前記目地カバー本体１２が上方へ回動する他端部寄りの部位に取付けられ、他端部が前記吊り下げ杆８の上部寄りの部位に取付けられた、該目地カバー本体１２がほぼ水平状態より下方へ回動するのを阻止するワイヤーを用いたストッパー２５と、前記目地カバー本体１２の一端部側に該目地カバー本体１２がほぼ水平状態で前記取付け金具９に当接するストッパー片２６とで構成されている。
【００１１】
上記構成の天井用目地カバー１は、目地カバー本体１２によって左右の天井躯体３ａ、３ａ間の目地部２が覆われ、室内側からは図１に示すように、目地カバー本体１２と左右のガイド部材１５、１６しか見えない状態となる。
【００１２】
地震等によって左右の建物３、３が異なる左右方向に揺れ動き、目地部２が広くなった場合には、図５に示すように目地カバー本体１２は水平保持機構１７によって、ほぼ水平状態を保つとともに、支持バー７、７の両端部がスライド移動してその揺れ動きを吸収する。
この場合、吊り下げ杆８、８は目地部２のほぼ中央部に位置するため、目地カバー本体１２の両端部と左右の天井躯体３ａ、３ａとの間に隙間が生じる。
【００１３】
目地部２が狭くなった場合には、図６に示すように左右のガイド部材１５、１６の傾斜面１３、１４によって、目地カバー本体１２は水平保持機構１７のコイルスプリング２４の付勢力に抗して回動し、その揺れ動きを吸収する。
揺れ動きが停止した場合には、水平保持機構１７のコイルスプリング２４の付勢力により、目地カバー本体１２がストッパー２５、ストッパー片２６によって停止され、ほぼ水平状態に自動的に戻り、元の状態となる。
【００１４】
【発明の異なる実施の形態】
次に、図７ないし図２６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図７ないし図９に示す本発明の第２の実施の形態において、前記本発明の第１の実施の形態と主に異なる点は、上方へ回動する他端部側の重量が重くなる偏心位置で吊り下げ杆８、８を目地カバー本体１２に取付けた点で、このように構成した天井用目地カバー１Ａは、前記本発明の第１の実施の形態と同様な作用効果が得られるとともに、水平保持機構１７Ａにコイルスプリングを用いないものを使用することができる。
【００１６】
図１０ないし図１２に示す本発明の第３の実施の形態において、前記本発明の第１の実施の形態と主に異なる点は、吊り下げ杆８の上部を２本の支持バー７、７でそれぞれ支持するとともに、コイルスプリングの代わりに重り２７を用いた水平保持機構１７Ｂを用いた点で、このように構成した天井用目地カバー１Ｂにしても、前記本発明の第１の実施の形態と同様な作用効果が得られる。
【００１７】
図１３ないし図１５に示す本発明の第４の実施の形態において、前記本発明の第１の実施の形態と主に異なる点は、左右の天井躯体３ａ、３ａの一方の天井躯体３ａに一方の端部が枢支ピン２８で枢支され、他方の端部を吊り下げ杆８の上部寄りの部位に回動可能に支持させたヒンジ部材２９を取付けるとともに、コイルスプリングの代わりに重り２７を用いた水平保持機構１７Ｂを用いた点で、このように構成した天井用目地カバー１Ｃにしても、前記本発明の第１の実施の形態と同様な作用効果が得られるとともに、吊り下げ杆８を支持バー７とヒンジ部材２９とで支持することができる。
【００１８】
図１６ないし図１８に示す本発明の第５の実施の形態において、前記本発明の第４の実施の形態と主に異なる点は、吊り下げ杆８の上部にヒンジ部材２９を取付け、その下部に支持バー７を取付けた点で、このように構成した天井用目地カバー１Ｄにしても前記本発明の第４の実施の形態と同様な作用効果が得られる。
【００１９】
図１９ないし図２３に示す本発明の第６の実施の形態において、前記本発明の第４の実施の形態と主に異なる点は、ヒンジ部材２９で吊り下げ杆８を支持するとともに、吊り下げ杆８を目地部２のほぼ中央部に位置できるようにヒンジ部材２９の他方の部材２９ａに後端部が固定され、先端部が天井躯体３ａ側へ突出させたバー部材３０と、このバー部材３０の先端部をスライド移動可能に支持する天井躯体３ａに固定されたガイドレール３１と、前記吊り下げ杆８が通常時に目地部２のほぼ中央部に位置した所で前記バー部材３０の移動を停止するストッパー３２と、前記バー部材３０を反ストッパー３２方向に付勢し、前記ヒンジ部材２９がたたまれた場合に、自動的に元の状態へ戻すことができるコイルスプリング３３とで、平時に中央部に位置できるようにした点で、このように構成した天井用目地カバー１Ｅにしても、前記本発明の第４の実施の形態と同様な作用効果が得られる。
【００２０】
図２４ないし図２６に示す本発明の第７の実施の形態において、前記本発明の第６の実施の形態と主に異なる点は、９０度以上開放しないスプリング３４で開放方向に付勢されたヒンジ部材２９Ａを用いるとともに、該ヒンジ部材２９Ａを他方の部材に天井躯体３ａに当接する作動バー３５を固定した点で、このように構成した天井用目地カバー１Ｆにしても、前記本発明の第６の実施の形態と同様な作用効果が得られる。
【００２１】
【発明の効果】
以上の説明から明らかなように、本発明にあっては次に列挙する効果が得られる。
【００２２】
（１）目地部を介して設置された左右の建物の目地部側の左右の天井躯体の上部寄りの部位に、前後方向にほぼ水平状態で固定された一対のレールと、この一対のレールに傾斜状態で配置された両端部がスライド移動可能に取付けられた少なくとも２個以上の支持バーと、この少なくとも２個以上の支持バーのほぼ中央部に上端部がそれぞれ取付けられた吊り下げ杆と、この吊り下げ杆の下端部にほぼ中央部が回動可能に取付けられた両端部が逆方向の傾斜面に形成された前記目地部を覆う目地カバー本体と、この目地カバー本体の両端部の傾斜面と面接触する傾斜面が形成された、該目地カバー本体がほぼ水平状態で当接する前記左右の天井躯体に固定された左右のガイド部材と、前記目地カバー本体を常時ほぼ水平状態に保持し、前記目地部が狭くなり前記左右のガイド部材で押し圧されての回動を阻止することのない水平保持機構とで構成されているので、目地部が地震等の揺れ動きで狭くなった場合に、目地カバー本体のほぼ中央部を支点にして回動させて、その揺れ動きを吸収することができる。
したがって、室内側への目地カバー本体の突出量が少なく、安全に使用することができる。
【００２３】
（２）前記（１）によって、目地部間に設置することができる。
したがって、小型コンパクトで、容易に設置することができる。
【００２４】
（３）前記（１）によって、室内側には目地カバー本体と、一部のガイド部材だけしか表れないように設置することができる。
したがって、美観の向上を図ることができる。
【００２５】
（４）請求項２、３、４、５も前記（１）〜（３）と同様な効果が得られる。
【図面の簡単な説明】
【図１】本発明の第１の実施の形態の底面図。
【図２】本発明の第１の実施の形態の平面図。
【図３】図２の３−３線に沿う拡大断面図。
【図４】本発明の第１の実施の形態の取付け金具の説明図。
【図５】本発明の第１の実施の形態の目地部が広くなった動作説明図。
【図６】本発明の第１の実施の形態の目地部が狭くなった動作説明図。
【図７】本発明の第２の実施の形態の底面図。
【図８】本発明の第２の実施の形態の平面図。
【図９】図８の９−９線に沿う拡大断面図。
【図１０】本発明の第３の実施の形態の底面図。
【図１１】本発明の第３の実施の形態の平面図。
【図１２】図１１の１２−１２線に沿う拡大断面図。
【図１３】本発明の第４の実施の形態の底面図。
【図１４】本発明の第４の実施の形態の平面図。
【図１５】図１４の１５−１５線に沿う拡大断面図。
【図１６】本発明の第５の実施の形態の底面図。
【図１７】本発明の第５の実施の形態の平面図。
【図１８】図１７の１８−１８線に沿う拡大断面図。
【図１９】本発明の第６の実施の形態の底面図。
【図２０】本発明の第６の実施の形態の平面図。
【図２１】図２０の２１−２１線に沿う拡大断面図。
【図２２】目地部が広くなった動作説明図。
【図２３】目地部が狭くなった動作説明図。
【図２４】本発明の第７の実施の形態の底面図。
【図２５】本発明の第７の実施の形態の平面図。
【図２６】図２５の２６−２６線に沿う拡大断面図。
【符号の説明】
１、１Ａ、１Ｂ、１Ｃ、１Ｄ、１Ｅ、１Ｆ：天井用目地カバー、
２：目地部、　　　　　　３：建物、
３ａ：天井躯体、　　　　４：ビス、
５：レール、　　　　　　６：ローラ、
７：支持バー、　　　　　８：吊り下げ杆、
９：取付け金具、　　　　１０：傾斜面、
１１：傾斜面、　　　　　１２：目地カバー本体、
１３：傾斜面、　　　　　１４：傾斜面、
１５：左のガイド部材、　１６：右のガイド部材、
１７、１７Ａ、１７Ｂ、１７Ｃ：水平保持機構、
１８：ビス、　　　　　　１９：ビス挿入孔、
２０：ベース板、　　　　２１：支持片、
２２：枢支ピン、　　　　２３：枢支ピン挿入孔、
２４：コイルスプリング、２５：ストッパー、
２６：ストッパー片、　　２７：重り、
２８：枢支ピン、　　　　２９、２９Ａ：ヒンジ部材、
３０：バー部材、　　　　３１：ガイドレール、
３２：ストッパー、　　　３３：コイルスプリング、
３４：スプリング、　　　３５：作動バー。
【図１】
2004124613.tif 000003
【図２】
2004124613.tif 000004
【図３】
2004124613.tif 000005
【図４】
2004124613.tif 000006
【図５】
2004124613.tif 000007
【図６】
2004124613.tif 000008
【図７】
2004124613.tif 000009
【図８】
2004124613.tif 000010
【図９】
2004124613.tif 000011
【図１０】
2004124613.tif 000012
【図１１】
2004124613.tif 000013
【図１２】
2004124613.tif 000014
【図１３】
2004124613.tif 000015
【図１４】
2004124613.tif 000016
【図１５】
2004124613.tif 000017
【図１６】
2004124613.tif 000018
【図１７】
2004124613.tif 000019
【図１８】
2004124613.tif 000020
【図１９】
2004124613.tif 000021
【図２０】
2004124613.tif 000022
【図２１】
2004124613.tif 000023
【図２２】
2004124613.tif 000024
【図２３】
2004124613.tif 000025
【図２４】
2004124613.tif 000026
【図２５】
2004124613.tif 000027
【図２６】
2004124613.tif 000028